(57)【特許請求の範囲】
【請求項１】
握り部（２）より左右に、開き気味に垂下した腕（３）を設け、該握り部（２）の上部はプルタブ起しに使用できる庇（２ａ）となっており、該庇（２ａ）の下部正面には開口部（２ｂ）を有し、該開口部（２ｂ）の内部には溝（２ｃ）を有し、握り部（２）の下部には握り用の波形（２ｄ）を設け、握り部（２）より左右に開き気味に垂下した腕（３）は略逆円錐状を呈し、その先端部は丸みを持たせた指圧部（３ａ）とし、左右の腕（３）の途中に荷物を掛けるための切り込み（３ｂ）を設けた、指圧具及びプルタブ起しを兼ねた荷物用把手。
【発明の詳細な説明】
【０００１】
【発明の属する技術分野】
本発明は、指圧具及びプルタブ起しを兼ねた荷物用把手に関するものである。
【０００２】
【従来の技術】
従来、スーパーマーケットなどで買物をした品物を入れてくれるポリ袋を下げる補助具としての把手や紙袋のひもに取り付ける把手あるいはダンボール箱を結束したひもに掛ける把手等について様々な提案がなされている。
また、指圧具としての棒状の器具もいろいろな形のものが提案されている。
さらに、プルトップオープン式の缶詰のプルタブを起す器具についても様々なものが提案されている。
【０００３】
【発明が解決しようとする課題】
従来、買物のポリ袋を下げる補助具としての把手や紙袋のひもに取り付ける把手あるいはダンボール箱を結束したひもに掛ける把手については、それぞれ重い荷物を下げるために手が痛くならない補助具としての機能を持つことに特化したものとして様々なものが提案されていた。
また、指圧具として、棒状の器具や持ち手を持ち易くした形のもの等いろいろな形のものが提案されていた。
さらに、プルトップオープン式の缶詰のプルタブを起すときに指の爪を傷めないように様々な形のプルタブ起しが提案されている。
しかし、上記三つの機能を一つの器具で兼用できるものはいまだ提案されていない。
本発明は、一つの器具でこの三つの機能を兼用できる器具を提供するためになされたものである。
【０００４】
【課題を解決するための手段】
握り部（２）より左右に、開き気味に垂下した腕（３）を設け、該握り部（２）の上部はプルタブ起しに使用できる庇（２ａ）となっており、該庇（２ａ）の下部正面には開口部（２ｂ）を有し、該開口部（２ｂ）の内部には溝（２ｃ）を有し、握り部（２）の下部には握り用の波形（２ｄ）を設け、握り部（２）より左右に開き気味に垂下した腕（３）は略逆円錐状を呈し、その先端部は丸みを持たせた指圧部（３ａ）とし、左右の腕（３）の途中に荷物を掛けるための切り込み（３ｂ）を設けた、指圧具及びプルタブ起しを兼ねた荷物用把手である。
【０００５】
【発明の実施の形態】
以下、本発明の実施の形態を図１により説明する。
握り部（２）より左右に、開き気味に垂下した腕（３）を設ける。
該握り部（２）の上部にプルタブ起しに使用できる庇（２ａ）を設け、その下部正面に開口部（２ｂ）を有し、その内部に溝（２ｃ）を有し、下部に握り用の波形（２ｄ）を設ける。
握り部（２）より、左右に開き気味に垂下した腕（３）は略逆円錐状を呈し、その先端部は丸みを持たせた指圧部（３ａ）となっている。
左右の腕（３）の途中に荷物を掛けるための切り込み（３ｂ）を設ける。
本発明は、以上の如く構成されている。
【０００６】
（イ）本発明を第一の使用法である、荷物用把手として使用する場合
スーパーマーケット等で買物をした品物を入れてくれるポリ袋（４）を本発明で下げる場合、ポリ袋（４）の持ち手は図２に示すように腕（３）の切り込み（３ｂ）に片方づつ引っ掛けてもよいし、図３に示すように二つの持ち手を一緒にして開口部（２ｂ）から溝（２ｃ）に落し込んで持ってもよい。ポリ袋（４）が多い場合、複数のポリ袋（４）を把持することもできる。
紙袋（５）のひも（５ａ）を掛けて把手として使用する場合は、図４に示すようにひも（５ａ）を開口部（２ｂ）から溝（２ｃ）に落し込んで使用する。
ダンボール箱（６）にひも掛けをして把手として使用する場合は、図５に示すように結束紐（７）を切り込み（３ｂ）に差し込んで使用する。また、ダンボール箱（６）にひも掛けをして、サービス品の把手（８）をつけてくれる場合もあるが、電気製品のような重い物を持ち運ぶ場合、その把手の巾が狭いので長い時間持ち運ぶと把手が指に食い込んで痛くなってくる。このような場合には、図６に示すようにサービス品の把手（８）に本発明を組み合わせて使用すると、指が痛くなくて楽に持ち運ぶことができる。
【０００７】
（ロ）本発明を第二の使用法である、指圧具として使用する場合
図７に示すように、握り部（２）を手で握り、指圧部（３ａ）を指圧したい部分に押し当てて指圧する。指圧部（３ａ）の先端は適度の丸みを持たせてあるので、痛くなく心地よい指圧ができる。指圧部（３ａ）に対して握り部（２）が屈曲しているので力が入れやすく、効果的な指圧ができる。また、指圧部（３ａ）が左右２ヶ所あるので、左右の先端の丸みの大きさを変えることにより、指圧する部位に適応した丸みの大きさを選んで指圧することができる。
【０００８】
（ハ）本発明を第三の使用法である、プルタブ起しとして使用する場合
図８に示すように、握り部（２）を逆さに持ち、庇（２ａ）を缶のプルタブの下に差し込んでこじると、プルタブが簡単に持ち上がって、爪を傷めることなくプルタブを起すことができる。
【０００９】
【発明の効果】
本発明は、ポリ袋や紙袋の把手、ダンボール箱や結束した品物の把手の他、指圧具及びプルタブ起しの三つの機能を兼ねているので、次のような効果がある。
（イ）買物用ポリ袋や紙袋あるいはダンボール箱の把手として使用すると、重い荷物を手を痛めないで持ち運ぶことができる。
（ロ）家庭で日常的に指圧具として使用できる。また、飛行機等の乗り物に携帯して指圧具として使用すると、血液の循環が促進されるために、エコノミークラス症候群の予防にも役立つ。
（ハ）プルトップオープン式の缶詰のプルタブを爪を傷めることなく起すことができる。
【００１０】
【図面の簡単な説明】
【図１】  本発明の正面図及び左側面図
【図２】  本発明をポリ袋の把手として使用する場合の実施例１
【図３】  本発明をポリ袋の把手として使用する場合の実施例２
【図４】  本発明を紙袋の把手として使用する場合の実施例
【図５】  本発明をダンボール箱の把手として使用する場合の実施例１
【図６】  本発明をダンボール箱の把手として使用する場合の実施例２
【図７】  本発明を指圧具として使用する場合の実施例
【図８】  本発明をプルタブ起しとして使用する場合の実施例
【００１１】
【符号の説明】
１    本発明の指圧具及びプルタブ起しを兼ねた荷物用把手
２    握り部
２ａ  庇
２ｂ  開口部
２ｃ  溝
２ｄ  波形
３    腕
３ａ  指圧部
３ｂ  切り込み
４    ポリ袋
５    紙袋
５ａ  ひも
６    ダンボール箱
７    結束紐
８    サービス品の把手
【図１】
0003976194.tif 000002
【図２】
0003976194.tif 000003
【図３】
0003976194.tif 000004
【図４】
0003976194.tif 000005
【図５】
0003976194.tif 000006
【図６】
0003976194.tif 000007
【図７】
0003976194.tif 000008
【図８】
0003976194.tif 000009